(57)【特許請求の範囲】
【請求項１】
大当りを起点として遊技者にとって有利な特別状態を発生可能な遊技機であって、当該特別状態として第１特別状態と第２特別状態とを選択的に発生可能であり、当該第１特別状態と第２特別状態との何れの特別状態が発生した場合であっても共通の特別状態信号を出力する遊技機の遊技情報を表示する遊技情報表示装置において、
遊技機側から出力される遊技信号であって、第１大当りと、当該第１大当りよりも獲得可能な遊技価値が多い第２大当りとを区別可能な大当り情報を特定可能である一方、前記特別状態の発生期間を特定不能な大当り情報信号、及び前記特別状態信号を入力する入力手段と、
前記特別状態信号により前記特別状態が発生したことを特定する特別状態特定手段と、
前記大当り情報により前記第１大当りであるか前記第２大当りであるかを区別し、特別状態が発生したことが特定された場合に、当該特別状態の起点となった大当りが前記第１大当りであれば当該発生した特別状態を前記第１特別状態として特定する一方、前記第２大当りであれば当該発生した特別状態を前記第２特別状態として特定する特別状態振分処理を行う特別状態振分手段と、
前記特別状態振分処理の処理結果を表示する表示手段と、を備えたことを特徴とする遊技情報表示装置。
【請求項２】
前記第１特別状態に対応した演出表示である第１演出表示と、前記第２特別状態に対応した演出表示である第２演出表示とを予め記憶する記憶手段を備え、
前記表示手段は、前記処理結果として、前記第１特別状態が特定された場合には前記第１演出表示を行う一方、前記第２特別状態が特定された場合には前記第２演出表示を行うことを特徴とする請求項１に記載した遊技情報表示装置。
【請求項３】
前記第１特別状態中、又は前記特別状態が発生していない通常状態中において大当りが発生した場合に、当該大当りを初当りとして特定する一方、前記第２特別状態中において大当りが発生した場合に、当該大当りを初当りとして特定しない初当り振分処理を行う初当り振分手段を備え、
前記表示手段は、前記初当り振分処理の処理結果を表示することで、前記特別状態振分処理の処理結果を表示することを特徴とする請求項１又は２に記載した遊技情報表示装置。
【請求項４】
前記第１特別状態中において大当りが発生した場合に、当該大当りを引戻し大当りとして特定する一方、前記第２特別状態中において大当りが発生した場合に、当該大当りを引戻し大当りとして特定しない引戻し大当り振分処理を行う引戻し大当り振分手段を備え、
前記遊技機は、特定の入賞に応じて行われる大当り抽選の抽選結果に応じて大当りを発生可能であり、
前記第１特別状態は、前記第２特別状態よりも大当り抽選確率は低いが、前記特別状態が発生していない通常状態よりも前記特定の入賞の入賞率が向上することで遊技者にとって有利な遊技状態であり、
前記第２特別状態は、前記通常状態及び前記第１特別状態よりも大当り抽選確率が向上することで遊技者にとって有利な遊技状態であり、
前記表示手段は、前記引戻し大当り振分処理の処理結果を表示することで、前記特別状態振分処理の処理結果を表示することを特徴とする請求項１から３の何れか一項に記載した遊技情報表示装置。
【請求項５】
前記特別状態振分処理により、前記第１特別状態が特定された回数に対する前記引戻し大当りが特定された回数の割合を示す引戻し率を示す遊技情報である大当り振分情報を特定する大当り振分情報特定手段を備え、
前記表示手段は、前記大当り振分処情報を表示することで、前記特別状態振分処理の処理結果を表示することを特徴とする請求項４に記載した遊技情報表示装置。
【発明の詳細な説明】
【技術分野】
【０００１】
本発明は遊技情報表示装置に関する。
【背景技術】
【０００２】
パチンコ遊技機等の遊技機の中には大当り以外の特別状態として、大当り確率が向上する確変状態と、始動口への入賞率が向上する時短状態とが設けられており、確変（確変状態且つ時短状態）中は時短（確変状態を伴わない時短状態）になることもあり、確変と時短とで共通した遊技状態信号である特別状態信号を出力する構成となっている。例えば特許文献１には、確変中に大当りが発生し易いことに着目し、特別状態信号の出力中に大当りが発生すれば、その特別状態の終了後に、その特別状態が確変であったと特定する一方、大当りが発生しなければ、その特別状態が時短であったと特定することが提案されている。
【先行技術文献】
【特許文献】
【０００３】
【特許文献１】特開２００４−２４８７２２号公報
【発明の概要】
【発明が解決しようとする課題】
【０００４】
特許文献１に開示されている判定方法によれば、特別状態信号の出力中に大当りが発生したか否かにより、その特別状態の終了後に、その特別状態が確変であったか時短であったかを特定可能であるが、特別状態信号の出力中には確変であるか時短であるかの特定が困難である。そのため、特別状態信号の出力中である特別状態中に確変であるか時短であるかを区別して演出を行いたい場合には不向きであった。又、仮に時短であっても大当りが発生すれば確変であると判定する虞もあり、その精度にも問題があった。
【０００５】
本発明は、上記した事情に鑑みてなされたものであり、その目的は、異なる特別状態で共通の特別状態信号を出力する遊技機を対象として、特別状態中に、何れの特別状態が発生しているのかを特定する精度や遊技者への演出の利便性を高めることができる遊技情報表示装置を提供することにある。
【課題を解決するための手段】
【０００６】
請求項１に記載した発明によれば、大当りを起点として遊技者にとって有利な特別状態が発生したことを特定すると、その特別状態の起点となった大当りにより、その発生した特別状態が第１特別状態であるかを第２特別状態であるかを特定する。これにより、第１特別状態と第２特別状態との何れの特別状態が発生した場合でも共通の特別状態信号が遊技機から出力される場合であっても、その発生した特別状態の終了等を待たずに、第１特別状態であるかを第２特別状態であるかを特定することができる。即ち、何れの特別状態が発生しているのかを特定する精度や遊技者への演出の利便性を高めることができる。
【図面の簡単な説明】
【０００７】
【図１】本発明の一実施形態を示す全体構成図
【図２】遊技履歴を示す図
【図３】情報表示装置における全体の表示画面を示す図（その１）
【図４】情報表示装置における全体の表示画面を示す図（その２）
【図５】情報表示装置における確変演出の表示画面を示す図
【図６】情報表示装置における時短演出の表示画面を示す図
【図７】情報表示装置処理を示すフローチャート
【発明を実施するための形態】
【０００８】
以下、本発明の一実施形態について図面を参照して説明する。
図１は、遊技場用システムの全体構成を示す概略図である。遊技場内には多数の遊技機１が設置されており、各遊技機１に対応して遊技装置２及び情報表示装置３（遊技情報表示装置、入力手段、特別状態特定手段、特別状態振分手段、表示手段、記憶手段、初当り振分手段、引戻し大当り振分手段、大当り振分情報特定手段に相当）が設置されている。これら遊技機１、遊技装置２及び情報表示装置３は、中継装置４及びＬＡＮ５を介して管理装置６と接続されている。管理装置６は、遊技機側（遊技機１、遊技装置２等）から出力される遊技信号を入力して遊技機１毎の遊技データや会員登録された会員毎の個人データ等を管理する。遊技場にはＰＯＳや残高精算機（何れも図示せず）も設置されており、これらＰＯＳや残高精算機も、ＬＡＮ５を介して管理装置６と接続されている。尚、図１では図示を省略したが、実際には例えば数百台の遊技機１が管理装置６の管理対象となっている。
【０００９】
管理装置６は、遊技場内の例えば事務室等に設置されており、遊技場の管理者が操作するキーボード７、モニタ８、プリンタ（図示せず）等が接続されている。管理装置６は、遊技機１や遊技装置２等から入力される遊技信号に基づいて、遊技機１や遊技装置２等の稼動状態を特定して遊技機１毎に遊技情報を管理する。
【００１０】
遊技機１は、ＣＲ（カードリーダ）パチンコ機であり、盤面９に玉を発射する発射装置を構成する操作ハンドル１０、上部受皿１１、下部受皿１２を有すると共に、盤面９に、液晶表示部１３、普図入賞口１４、第１始動口１５、第２始動口１６、大入賞口１７を有する。
【００１１】
遊技機１は以下に示すように動作する。
（１）第１始動口１５は入賞率が変動しない入賞口（所謂ヘソ入賞口）であり、第２始動口１６は入賞率が変動する入賞口（所謂電チュー）である。各始動口１５、１６への入賞（始動入賞）に応じて大当り抽選を行い、抽選結果を液晶表示部１３にて行う図柄変動にて報知し、その変動結果に応じて大当りとなる。
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されず、第２始動口１６に保留がある場合は第１始動口１５の保留に優先して保留している図柄変動を実行する。
【００１２】
（３）大当り抽選の当選確率（大当り確率）は１／３００であり、大当りがその後確変状態となる大当り（確変大当り）となる割合である確変率は第１始動口１５では５０％であるのに対して第２始動口１６では１００％となる。大当りが発生すると対応するラウンド数（Ｒ）の分だけ大入賞口１７を開放し、確変大当りは１５Ｒ、大当り後に時短状態となる大当りである通常大当りは１２Ｒが対応するＲとなる。尚、１Ｒの上限入賞数は１０個であり、上限開放時間は３０秒であり、上限入賞数又は上限開放時間の何れかが満たされた場合に１Ｒを終了する。
【００１３】
（４）確変状態中は大当り確率が１／１３０に向上すると共に、各始動口１５、１６への入賞率が高くなる時短状態になる。第２始動口１６は普図入賞口１４への入賞に応じて変動する普通図柄（普図）が当りとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１６の入賞率が高くなる。
【００１４】
（５）第２始動口１６の保留が優先されることから、第２始動口１６の入賞率が高い時短状態（確変状態も含む）中は第２始動口１６に基づく図柄変動が専ら実行される。尚、確変は２００回の図柄変動に応じて終了する所謂ＳＴである一方、時短中は１００回の図柄変動に応じて終了する。尚、上記は機種Ａの例示であり、数値や特別状態の発生条件等は機種に応じて異なる。
【００１５】
遊技機１及び当該遊技機１に付設された周辺機器は、遊技者による玉の打込みや各第１始動口１５５、１６への始動入賞等の遊技の進行に伴って、以下に示す遊技信号を出力する。
アウト信号＝消費玉を回収するアウトＢＯＸから出力される消費価値（アウト）を特定可能な信号である。消費（使用、打込、回収）玉１０玉に対して１パルスが出力されるので、「アウト信号数×１０」をアウトとして特定する。尚、遊技機１から出力される信号でも良い（大当り情報信号）。
セーフ信号＝遊技機１から出力される入賞付与価値（セーフ）を特定可能な信号である。払出１０玉に対して１パルスが出力されるので、「セーフ信号数×１０」をセーフとして特定する。尚、補給装置から出力される補給信号をセーフ信号としても良い（大当り情報信号）。
【００１６】
始動信号＝遊技機１から出力される始動入賞（特定の入賞）により変動（作動）する液晶表示部１３（役物）におけるスタート処理（図柄変動、役物作動、単位遊技）を特定可能な信号である。図柄変動確定時に出力されるので、始動信号の入力に応じてスタート処理を特定し、「始動信号×１」をスタート回数（スタート処理数）として特定する。尚、始動入賞を示す信号としても良い。
大当り信号＝遊技機１から出力される大当り期間を特定可能な信号である。大当り中にレベル出力される状態信号であるので、大当り信号の入力中を大当り中として特定する（大当り情報信号）。
特別状態信号＝遊技機１から出力される特別状態（甘中）を特定可能な信号である。第２始動口１６の入賞率が向上する特別状態中（確変状態を伴わない時短状態（第１特別状態、以下、時短）、又は確変状態且つ時短状態（第２特別状態、以下、確変））にレベル出力される状態信号であるので、特別状態信号の入力中を特別状態中として特定する。又、大当り信号と特別状態信号の何れも入力していない期間を通常状態として特定する。
【００１７】
遊技装置２は、遊技機１の遊技状態を示す状態表示部１８、紙幣（貨幣価値）が投入される紙幣投入口１９、遊技者からの操作入力を受け付けると共に遊技の進行に伴って図柄変動回数（スタート回数）や大当り確率等の遊技データを表示するタッチパネル式の液晶表示部２０、持玉及び貯玉を払い出すための払出釦２１、払い出された玉が通過する払出ノズル２２、一般カードや会員カードが挿入されるカード挿入口２３、遊技機１の下部受皿１２の下方に位置する着脱可能な計数受皿２４等を有する。
【００１８】
遊技装置２は、所謂各台計数機能付の貸出機であり、受け付けた貨幣（残高）の内、貸出の対価を減じた残高、及び計数した持玉の内、再プレイにより払い戻した残りの持玉を特定可能な一般カードを発行（全発行）可能な装置である。残高とは、遊技者が入金した貨幣額から貸出処理を行った対価額（貸出処理の対価）を除いた遊技者の利用可能額（残貨幣価値）を示している。持玉とは、遊技者が遊技により獲得した遊技価値を示し、計数した遊技価値から再プレイ処理により付与した遊技価値や交換した景品の対価となった遊技価値を除いた遊技価値（獲得価値）を示している。一般カードに記録されている持玉はＰＯＳにて精算され、残高は残高精算機にて精算される。
【００１９】
遊技装置２は、以下に示す機能を備えている。
（１）紙幣が紙幣投入口１９に投入されると、その投入金額（残高）を液晶表示部２０に表示する。遊技機１の貸出釦（図示せず）が操作されると、残高の範囲内で５度数に相当する数の玉を遊技機１内部の払出機構から払い出し（貸出処理、対価付与処理を行い）、残高から貸出処理により払い出された遊技媒体の対価を除いた残りの残高を表示する。このとき、遊技機１から遊技装置２に５度数分の１２５玉を払い出したことを示す信号が出力されるので、液晶表示部２０に表示されている残高から５度数に相当する単位金額である例えば５００円を減額すると共に売上信号を出力する。この売上信号は５度数の玉の払い出し毎に１パルスが出力されるので、１パルスに相当する単位金額を売上額として特定する。尚、玉の払い出しを遊技装置２により行っても良い。
【００２０】
（２）一般カードがカード挿入口２３に挿入されると、一般カードに記録されている残高及び持玉を読み出して液晶表示部２０に表示する。遊技機１の貸出釦が操作されると、残高の範囲内で５度数に相当する数の玉を遊技機１内部の払出機構から払い出し（貸出処理、対価付与処理を行い）、残高から貸出処理により払い出された遊技媒体の対価を除いた残りの残高を表示する。このときも、遊技機１から遊技装置２に５度数分の１２５玉を払い出したことを示す信号が出力されるので、液晶表示部２０に表示されている残高から５度数に相当する単位金額である例えば５００円を減額すると共に売上信号を出力する。又、玉の払い出しを遊技装置２により行っても良い。
【００２１】
（３）遊技機１の下部受皿１２から落下した玉を計数受皿２４により受けると、その受けた玉を計数して計数値を液晶表示部２０に表示する。
（４）払出釦２１が操作されると、計数玉（持玉）の範囲内で払出１単位分（例えば１２５玉）の玉を遊技機１内部の払出機構から払い出し（払戻処理、計数玉に基づく再プレイ処理を行い）、計数玉から払戻処理により払い出された遊技媒体の対価を除いた残りの計数玉を表示する。このときも、遊技機１から遊技装置２に払出１単位分の玉を払い出したことを示す信号が出力される。又、玉の払い出しを遊技装置２により行っても良い。
【００２２】
（５）遊技機１の返却釦（全発行釦、図示せず）が操作されると、残高及び持玉等の情報をカード挿入口２３に挿入されている一般カードに対応付けて（例えば記録して）発行（全発行）する。会員カードが挿入されている場合は、残高を会員カードに対応付けて持玉を管理装置６に出力してから会員カードを発行する。一般カードを発行する場合は、カードＩＤを含む発行情報を管理装置６に出力し、管理装置６側にも記憶する。尚、カード挿入口２３に一般カードも会員カードも挿入されていない場合は、図示しないカードストック部にストックしている一般カードをカード挿入口２３に繰出して残高及び持玉を対応付けて発行する。
（６）液晶表示部２０に対する操作入力に応じて対応する遊技機１又は指定された他の遊技機１の遊技データを表示したり、遊技場からのメッセージを表示したり、遊技者が会員であることが特定された場合は遊技機１の遊技データを表示する。
【００２３】
上記した遊技場用システムでは、遊技機１は機種別にグループ分けされており、グループ単位にてＴ１Ｙ基準値を設定している。Ｔ１Ｙ基準値は大当り中の差玉（Ｔ１Ｙ、大当り情報）に対する基準値であり、本実施形態では例えば「１８００」を設定している。
【００２４】
情報表示装置３は、図２に示すように、大当りの発生又は特別状態の終了毎の遊技情報履歴及び対応する集計値（何れも大当り振分情報）を示す遊技履歴を特定しており、詳しくは後述する情報表示装置処理（図７参照）のようにしてＴ１ＹとＴ１Ｙ基準値とを比較することにより、発生した大当りが確変大当り（第２大当り）であるか通常大当り（第１大当り）であるかを特定する。そして、情報表示装置３は、特定した大当りが確変大当りであれば大当り後の特別状態を確変（第２特別状態）と特定し、通常大当りであれば大当り後の特別状態を時短（第１特別状態）と特定し、その特定結果に基づいて初当りや引戻し等を特定し、その判定結果に基づいて集計情報を特定する。
【００２５】
図２に示す遊技履歴の各項目の意味を以下に示す。
ＮＯ＝大当り数を示す。
種別＝「通大」は通常大当り、「確大」は確変大当り、「時短」は時短、「確変」は確変を示す。
時刻＝後述する初当りの発生時刻を示すが、各レコードを対象として大当りや特別状態の終了時刻等、対応する時刻を示しても良い。
Ｓ＝対応する図柄変動数（前レコードから計上した（例えば大当た後の）図柄変動数）を示す。
Ｔ１Ｙ＝大当り中の差玉（出玉、セーフ−アウト）を示す。
初当＝通常状態中又は時短中に発生した大当り（初当り）であることを示す。
引戻＝時短中に発生した大当り（引戻し大当り）であることを示す。
【００２６】
時突＝大当りが発生するまで時短である等、時短に対応（突入）したレコードであることを示す。
単発＝通常状態となるまでに他の大当りが発生しなかった大当りであることを示す。
確関＝通常状態となるまでに確変が発生した確変関連大当り（確変大当りだけでなくＮＯ８のような大当り後の時短中の引戻し大当りが確変大当りであった等の確変に絡む大当りが対象）であることを示す。
初確＝初当りの内の確変大当りであることを示す。
確突＝大当りが発生するまで確変である等、確変に対応（突入）したレコードであることを示す。
連荘＝確変中に発生した大当りであることを示す。
【００２７】
合計＝各数値（○数）の合計を示す。
平均＝大当り数（図２の例示では「１５」）に対する各合計の平均を示す。
引戻し率＝時短となった場合における引戻し大当りの割合（引戻÷時突、第１特別状態が特定された回数に対する引戻し大当りが特定された回数の割合）を示し、図２の例示では「２÷４＝５０％」である。
確変率＝初当りにおける確変大当りの割合（確変率、確変÷初当）を示し、図２の例示では「３÷７＝４３％」である。
確変継続率＝確変となった場合に大当りが発生した割合（連荘÷確突）を示し、図２の例示では「８÷１１＝７３％」である。
平均連荘＝確変となった場合に発生した平均大当り数（（初確＋連荘）÷初確）を示し、図２の例示では「（３＋８）÷３＝３．７」である。
ＴＳＪ＝時短中も含めた通常確率にて発生した大当りを対象とした平均Ｓ（確突が○でないレコードを対象とした総Ｓ÷大当り数）であり、図２の例示では、「２２４１（ＮＯ１〜３、ＮＯ７〜９、ＮＯ１５の総Ｓ）÷７＝３２０」である。
ＴＳＫ＝確変中に発生した大当りを対象とした平均Ｓ（確突が○であるレコードを対象とした総Ｓ÷大当り数）であり、図２の例示では、「１０６０（ＮＯ４〜６、ＮＯ１０〜１４の総Ｓ）÷８＝１３３」である。
【００２８】
以上のように情報表示装置３は、時短と確変とを区分することで遊技機１のスペックに対応した集計値を特定可能となっている。そして、情報表示装置３は、このようにして特定した各種遊技情報を遊技者向けに表示する。以下、情報表示装置３の表示について図３から図６を参照して説明する。情報表示装置３は、遊技場の従業員を呼び出すときに遊技者が押下する呼出釦２５、表示対象の遊技データを切り替えるときに遊技者が押下する情報切替釦２６、ＬＥＤ等の発光体により各種状態に応じたイルミネーション表示を行うイルミネーション表示部２７、機種名を表示する機種名表示領域２８、各種遊技データを表示する第１〜第４のデータ表示領域２９〜３２を有する。機種名表示領域２８及び第１〜第４のデータ表示領域２９〜３２は、例えば液晶パネル等で構成されているが、有機ＥＬや７セグのＬＥＤ又は蛍光管等で構成されていても良い。
【００２９】
図３及び図４は、Ｓ履歴で引戻し大当りや時短中ではなく確変中に発生した大当りである連荘大当りを特定可能な表示を例示している。図３において、第１のデータ表示領域２９では当日（本日）の大当り数（１５）、１日前（前日）の大当り数（２１）、２日前（前々日）の大当り数（２７）をそれぞれ表示しており、第２のデータ表示領域３０では初当り回数を当日、前日、前々日に区分してそれぞれ表示していると共に、大当り内訳としてＴ１Ｙ基準値を超える大当りである「超」と、超えない大当りである「小」との回数をそれぞれ表示している。第３のデータ表示領域３１では、累計の図柄変動数（スタート）を表示しているが、Ｓ等を表示しても良い。第４のデータ表示領域３２では、大当り毎のＳの履歴（Ｓ履歴）を表示しており、対応する大当りが「超」と「小」の何れであるかと、対応するＳ（１目盛り１００であり、例えばＳが２０１であれば切り上げて３目盛りを表示する）とを表示している。尚、図２では特別状態終了時にもレコードを作成したが、第４のデータ表示領域３２では例えば図２のＮＯ１５に対応した大当りのＳはＮＯ１５のＳである「９５」と、その直前の「確変」に対応したＳである「２００」との合算値である「２９５」に対応した３目盛りを表示している。又、図２では、「連荘」にて「○」とした大当りである連荘大当りを示す連荘表示（例えば６連等）３２ａ、「引戻」にて「○」とした大当りである引戻し大当りを示す引戻し表示（例えば引戻し→）３２ｂを行っている。これらは対応するＳが少ないことから目盛り数が少ないので、目盛り数の表示領域の余り部分を利用して表示している。尚、連荘表示や引戻し表示は適宜点滅等して目立たせても良い。
【００３０】
図４は、図３の状態から情報切替釦２６を操作して第１のデータ表示領域２９及び第２のデータ表示領域３０の表示内容を切り替えた状態を示している。図４では、図３の第１のデータ表示領域２９に表示していた大当り回数を第２のデータ表示領域３０へと移行し、第１のデータ表示領域２９では、図２に示した確関（確変関連大当り）、連荘（連荘大当り）、引戻（引戻し大当り）、引戻し率、確変突入率（確変率）、確変継続率、単発（単発大当り）、初確（初当り確変）、確突（確変突入回数）を表示していると共に、通常中確率、確変中確率としてそれぞれＴＳＪ、ＴＳＫの逆数を表示している。これらはスペックの数値に対応していることから、遊技機１のスペックを比較可能に表示しても良い。
【００３１】
図５及び図６は、特別状態中における第１のデータ表示領域２９と第４のデータ表示領域３２とを対象とした演出表示を例示している。図５は、確変中における演出表示（第２特別状態に対応した演出表示である第２演出表示）の例示であり、確変中である旨と「やったね！！おめでとう」等の祝福の言葉と共に、確変に関連した遊技情報（確変継続率（７３％）、平均連荘（３．７回）、確変中確率（１／１３３））や履歴情報を表示している。図６は、時短中における演出表示（第１特別状態に対応した演出表示である第１演出表示）の例示であり、時短中である旨と「己の力で引戻せ！！」等の激励の言葉と共に、時短に関連した遊技情報（引戻し率（５０％）、引戻し大当り数（２回）、通常中確率（１／３２０））や履歴情報を表示している。
【００３２】
次に、上記した構成の作用について図７も参照して説明する。本発明に関連し、情報表示装置３は、図７に示す情報表示装置処理を行う。
情報表示装置３は、情報表示装置処理を開始すると、待機フローとして、大当り中であるか否か（Ｓ１）、大当りが開始したか否か（Ｓ２）、特別状態フラグが「１」であるか（特別状態中であるか）否かを判定する（Ｓ３）。情報表示装置３は、対応する遊技機１にて大当りが発生して大当りが開始したと判定すると（Ｓ２：ＹＥＳ）、大当り演出を開始し（Ｓ４）、確変フラグが「０」であるか否かを判定する（Ｓ５）。情報表示装置３は、通常状態であり、確変フラグが「０」である（確変中でない）と判定すると（Ｓ５：ＹＥＳ）、その発生した大当りを初当りとして特定し（Ｓ６）（初当り振分処理を行い）、特別状態フラグが「１」でない（特別状態中でない）と判定し（Ｓ７：ＮＯ）、大当り数を加算する（Ｓ８）。
【００３３】
次いで、情報表示装置３は、大当り中であると判定し（Ｓ１：ＹＥＳ）、アウト信号又はセーフ信号を入力したか否か（Ｓ９）、大当りが終了したか否か（Ｓ１０）を判定する大当り中の待機フローへと移行する。情報表示装置３は、大当り中の待機フローにて、アウト信号又はセーフ信号を入力したと判定すると（Ｓ９：ＹＥＳ）、図２に示す遊技履歴にてＴ１Ｙを更新する（Ｓ１１）。
【００３４】
情報表示装置３は、大当りが終了したと判定すると（Ｓ１０：ＹＥＳ）、特別状態が開始したか否かを判定し（Ｓ１２）、特別状態が開始しなかったと判定すると（Ｓ１２：ＮＯ）、その終了した大当りが引戻し大当りではない初当りであるか否かを判定する（Ｓ１３）。情報表示装置３は、初当りであると判定すると（Ｓ１３：ＹＥＳ）、その終了した大当りを単発大当りとして特定し（Ｓ１４）、情報表示装置処理を終了してリターンし、通常中の待機フローに戻る。一方、情報表示装置３は、大当りが終了して特別状態が開始したと判定すると（Ｓ１２：ＹＥＳ）、特別状態フラグを「１」とし（特別状態中とし）（Ｓ１５）、その終了した大当りのＴ１ＹをＴ１Ｙ基準値（１８００）と比較する（Ｓ１６）。
【００３５】
情報表示装置３は、終了した大当りのＴ１ＹがＴ１Ｙ基準値に達していないと判定すると（Ｓ１６：ＮＯ）、その開始した特別状態を時短と特定して時短演出を開始する（Ｓ１７）（第１演出表示を行う）。一方、情報表示装置３は、終了した大当りのＴ１ＹがＴ１Ｙ基準値に達していると判定すると（Ｓ１６：ＹＥＳ）、確変フラグを「１」とし（確変中とし）（Ｓ１８）、その開始した特別状態を確変と特定して確変演出を開始し（第２演出表示を行い）（Ｓ１９）、更に終了した大当りが初当りであると判定すると（Ｓ２０：ＹＥＳ）、その終了した大当りを初当り確変として特定し（Ｓ２１）、その終了した大当りが引戻し大当りでないと判定し（Ｓ２２：ＮＯ）、情報表示装置処理を終了してリターンする。このように情報表示装置３は、特別状態の開始を特定すると、その特別状態の起点となった大当りのＴ１ＹをＴ１Ｙ基準値と比較することにより、その開始した特別状態が時短であるか確変であるかを区分している。尚、情報表示装置３は、フローチャートでは示していないが、終了した大当りを、Ｔ１ＹがＴ１Ｙ基準値に達していれば「確変大当り（超）」として特定し、達していなければ「通常大当り（小）」と特定している。
【００３６】
情報表示装置３は、特別状態中は、大当り中でないと判定し（Ｓ１：ＮＯ）、大当りが開始したか否か（Ｓ２）を判定すると共に、特別状態フラグが「１」であると判定し（Ｓ３：ＹＥＳ）、特別状態が終了したか否か（Ｓ２３）を判定する特別状態中の待機フローとなる。情報表示装置３は、大当りが発生して大当りが開始したと判定し（Ｓ２：ＹＥＳ）、確変フラグが「０」でない（確変中である）と判定すると（Ｓ５：ＮＯ）、その発生した大当りを連荘大当り及び確変関連大当りとして特定し（Ｓ２４）、大当り数を加算し（Ｓ８）、大当り中の待機フローへと移行する。即ち、情報表示装置３は、特別状態であっても確変中であることを条件として連荘大当りや確変関連大当りを特定する。
【００３７】
又、情報表示装置３は、大当りが発生した場合、時短中であれば、確変フラグが「０」であると判定し（Ｓ５：ＹＥＳ）、その発生した大当りを初当りとして特定し（Ｓ６）（初当り振分処理を行い）、特別状態フラグが「１」であると判定し（Ｓ７：ＹＥＳ）、その発生した大当りを引戻し大当りとして特定し（Ｓ２５）（引戻し大当り振分処理を行い）、大当り数を加算し（Ｓ８）、大当り中の待機フローへと移行する。即ち、情報表示装置３は、確変フラグが「０」であると判定し、特別状態フラグが「１」であると判定するので、特別状態でも時短中であることを条件として引戻し大当りを特定している。
【００３８】
情報表示装置３は、引戻し大当りが終了した場合に、その引戻し大当りのＴ１ＹがＴ１Ｙ基準値に達していると判定すると（Ｓ１６：ＹＥＳ）、確変フラグを「１」とし（確変中とし）（Ｓ１８）、その開始した特別状態を確変と特定して確変演出を開始し（Ｓ１９）、その終了した大当りが初当りであると判定し（Ｓ２０：ＹＥＳ）、その終了した大当りを初当り確変として特定し（Ｓ２１）、更に終了した大当りが引戻し大当りであると判定し（Ｓ２２：ＹＥＳ）、前回の大当りを確変関連大当りとし（Ｓ２６）、特別状態中の待機フローへと移行する。即ち、情報表示装置３は、時短中に初当り確変が発生した場合には、その時短の発生起点となった前回大当りを確変関連大当りとして特定する。
【００３９】
情報表示装置３は、特別状態中の待機フローにて特別状態が終了すると、特別状態が終了したと判定し（Ｓ２３：ＹＥＳ）、特別状態フラグを「０」とすると共に確変フラグを「０」とし（Ｓ２７）、確変演出又は時短演出を終了し（Ｓ２８）、その特別状態の発生起点となった前回大当りが引戻し大当りではない初当りであることを条件として（Ｓ２９：ＹＥＳ）、前回大当りを単発大当りとして特定し（Ｓ３０）、通常時の待機フローへと戻る。
【００４０】
以上に説明したように本実施形態によれば、次に示す効果を得ることができる。
情報表示装置３において、大当り状態を起点として遊技者にとって有利な特別状態である時短や確変が発生したことを特定すると、その特別状態の起点となった大当りに対応する大当り情報信号により特定される大当り情報により、その発生した特別状態の終了等を待たずに、その発生した特別状態が時短であるか確変であるかを特定することができる。
【００４１】
又、その発生した特別状態が時短であると特定した場合には時短演出を行い、確変であると特定した場合には確変演出を行うことで、発生した特別状態に対応した演出を特別状態中に行うことができる。
又、時短中や通常中に発生した大当りを初当りとして特定する一方、確変中に発生した大当りを初当りとして特定せずに、その内容を表示することで、時短中に発生した大当りも初当りとして特定し、初当り数を一定の精度で特定することができ、より精度の高い遊技情報を提供することができる。
【００４２】
又、時短中に発生した大当りを引戻し大当りとして特定する一方、確変中に発生した大当りを引戻し大当りとして特定せずに、その内容を表示することで、大当り抽選確率が向上した確変中に発生した大当りを排除した上で、特別状態中、即ち、時短中に発生した大当りを引戻し大当りとして特定することができ、より精度の高い遊技情報を提供することができる。
更に、引戻し率を特定し、その内容を表示することで、時短になった場合の大当り期待度を適切に提供することができる。
【００４３】
本発明は、上記した実施形態にのみ限定されるものではなく、以下のように変形又は拡張することができる。
【００４４】
大当り情報信号として、大当り信号、アウト、セーフを例示し、大当りの振り分けとしてＴ１Ｙに対するＴＩＹ基準値を設け、Ｔ１ＹとＴ１Ｙ基準値とを比較する構成を例示したが、Ｔ１Ｙ以外にアウトやセーフ、又は大当り時間等を基準値との比較対象として大当りを振り分けても良い。即ち、大当り情報信号としては大当り信号だけを採用しても良いし、大当り信号とアウト信号とを採用する等、大当りを振り分け可能であればどのような信号を大当り情報信号として採用しても良い。勿論、特定の大当りが発生した場合のみ発光する光源体に対してセンサを設け、そのセンサの検知により大当りを振り分けても良いし、大当りを振り分け可能な大当り信号が出力されるのであれば大当り信号により振り分ける等、大当りの振り分け方法もどのような方法を採用しても良い。
【００４５】
確変大当りとして１５Ｒ、通常大当りとして１２Ｒの大当りを例示したが、例えば確変大当りとして１６Ｒと１４Ｒ、通常大当りとして８Ｒと１０Ｒ等、複数種類の大当りを確変大当りや通常大当りとした遊技機を対象としても良い。又、大当り終了後に特別状態が必ず発生する遊技機を対象としたが、大当り終了後に特別状態が必ずしも発生しない遊技機を対象としても良い。
【００４６】
確変と時短とを振り分ける際に、対応する大当りが確変大当りか通常大当りかを併せて判定することを例示したが、大当り信号により大当りを振り分け可能であるか否かを特定可能であれば、必ずしも大当りを併せて振り分ける必要はない。
確変中や時短中の演出表示として静止画を例示したが、動画等を含め、どのような画像を表示しても良いし、背景色を変更する等、演出表示としてどのような構成を採用しても良い。
【００４７】
超えない等の表現は、基準値との比較において超過だけなく以上とならないかを判定する構成も包含する。同様に、達しない等の表現は、基準値との比較において未満だけなく以下とならないかを判定する構成も包含する。
例示した設定値は予め設定されていれば、遊技場の管理者が任意に設定しても良いし、管理装置の製造メーカにて設定しても良いし、外部（例えばチェーン店本部等）の管理サーバから設定情報をダウンロードして設定しても良い。
例示した全ての遊技情報は入力した信号により直接的に特定しても演算式を利用する等して間接的に特定しても良い。又、数値、桁数、項目等は例示であり、どのような数値を採用しても良い。
【００４８】
対象となる遊技機は大当りに応じてその後の特別状態が振り分けられる遊技機であれば、遊技媒体をデータのみで管理する所謂封入式等の遊技機であっても良く、例示したパチンコ遊技機以外のパチンコ遊技機やスロットマシン等の遊技機であっても良い。尚、所謂封入式等を考慮して遊技媒体は必要に応じて遊技価値と表現する。
例示した処理は情報表示装置だけでなく中継装置、管理装置又は遊技装置等、どのような機器により行っても良い。又、変形例を含む例示した構成をどのように組み合わせても良いし、適宜採用しない構成としても良い。更に、図２に示した遊技履歴や集計結果等は、遊技機の特性等を把握したり不正の発生を判断したりする上で有用な遊技情報であることから管理装置により各種処理を行い、遊技場の管理者を対象として図２等の遊技情報を表示しても良い。
【符号の説明】
【００４９】
図面中、１は遊技機、３は情報表示装置（遊技情報表示装置、入力手段、特別状態特定手段、特別状態振分手段、表示手段、記憶手段、初当り振分手段、引戻し大当り振分手段、大当り振分情報特定手段）である。
【図１】
0006499475.tif 000002
【図２】
0006499475.tif 000003
【図３】
0006499475.tif 000004
【図４】
0006499475.tif 000005
【図５】
0006499475.tif 000006
【図６】
0006499475.tif 000007
【図７】
0006499475.tif 000008